(57)【特許請求の範囲】
【請求項１】
ストレッチ生地素材から裁断した裁断片によって縫製等により一体化されたウェットスーツ様を呈した水着において、
胸の両側から脚に掛けての長手方向に、前記裁断片の裁断部乃至縫製部等との関連を有さずに、緩いスパイラル状となるように、細溝又は細幅リブを、左身頃には左巻または右巻に、右身頃には右巻または左巻に形成し、また左腕は左巻または右巻に、右腕は右巻または左巻に形成したことを特徴とする競泳用水着。
【請求項２】
前記緩いスパイラル状の細溝又は細幅リブを、直線状にのみならず、緩い波形状に、あるいは鋸歯状に構成することを特徴とする請求項１記載の競泳用水着。
【請求項３】
前記スパイラル状の細溝又は細幅リブが、それぞれ適宜間隔をもった複数本であることを特徴とする請求項１又は２記載の競泳用水着。
【請求項４】
前記細溝又は細幅リブが、略等間隔に、編組織変化又はエンボス加工によって形成されることを特徴とする請求項１乃至３記載の競泳用水着。
【請求項５】
前記スパイラル状の細溝又は細幅リブが、複数かつ、略等間隔より成ることを特徴とする請求項１乃至４記載の競泳用水着。
【請求項６】
前記スパイラル状の複数条の細溝又は細幅リブが、略並行間隔より成ることを特徴とする請求項１乃至５記載の競泳用水着。
【請求項７】
前記複数のスパイラル状の細幅リブが、ピッチ３．０ｍｍ〜２０．０ｍｍ，幅０．２ｍｍ〜２．０ｍｍ、高さ０．１ｍｍ〜２．０ｍｍとなっていることを特徴とする請求項１乃至６記載の競泳用水着。
【請求項８】
前記複数のスパイラル状の細溝が、ピッチ３．０ｍｍ〜２０．０ｍｍ，幅０．２ｍｍ〜２０．ｍｍ、深さ０．１ｍｍ〜２．０ｍｍとなっていることを特徴とする請求項１乃至６記載の競泳用水着。
【請求項９】
前記スパイラル状の細幅リブ又は細溝が、連続的にではなく断続的に構成されることを特徴とする請求項１乃至８記載の競泳用水着。
【請求項１０】
前記複数の細幅リブ又は細溝の、高さ（細幅リブの場合）又は深さ（細溝の場合）を、あるいは各ピッチ乃至は幅を、均一でないように構成したことを特徴とする請求項１乃至８記載の競泳用水着。
【請求項１１】
前記水着中の所望部位に、前記細溝又は細幅リブの何れをも設けないことを特徴とする請求項１乃至１０記載の競泳用水着。
【請求項１２】
前記左腕と右腕に、前記スパイラル状の細溝又は細幅リブの何れもが設けられないことを特徴とする請求項１１記載の競泳用水着。
【請求項１３】
前記水着の脚端部近傍に位置する脹ら脛部に、前記細溝又は細幅リブの何れもが形成されないことを特徴とする請求項１１記載の競泳用水着。
【請求項１４】
前記水着の前身頃の腹部に、前細溝又は細幅リブの何れもが形成されないことを特徴とする請求項１１記載の競泳用水着。
【請求項１５】
前記水着が袖なしのウェットスーツ様を呈した構成になることを特徴とする請求項１乃至請求項１１又は請求項１３、又は１４記載の競泳用水着。
【請求項１６】
前記水着の脚部が、大腿部下部乃至膝頭上部より上方の部分で構成されることを特徴とする請求項１乃至１２又は請求項１４又は１５記載の競泳用水着。
【請求項１７】
前記水着が、ウエストから下方部分で構成された請求項１乃至１１又は請求項１３又は１６記載の競泳用男子水着。
【請求項１８】
前記水着の両脚部がハイレグ形状を呈している請求項１乃至１２又は請求項１４記載の競泳用水着。
【請求項１９】
前記水着中の所望部位に、前記細溝又は細幅リブを、体長方向乃至縦方向に設けたことを特徴とする請求項１乃至１８記載の競泳用水着。
【請求項２０】
前記水着を構成する各裁断片あるいはその他部位の張力の強弱を任意に変化させることを特徴とする請求項１乃至請求項１９記載の競泳用水着。
【請求項２１】
陸上の短距離走やスケートやスキーなどの距離競技、または各種自転車競技やスキーのダウンヒル・ジャンプ競技などの衣服である請求項１乃至請求項２０記載の流体低抵抗スポーツ用ウェア。
【発明の詳細な説明】
【０００１】
【発明の属する技術分野】
本発明は水または空気の抵抗に係る競泳用水着、或いはスポーツ用ウェアに係る流体低抵抗スポーツウェアに関するものである。
【０００２】
【従来の技術】
競泳または陸上短距離走においては、近時１／１００秒を争う競技となっており、水または空気の抵抗は無視することができない問題になっている。即ち、水中または空中を物体が移動する場合、その先端、表面及び後方で水または空気の圧縮と膨張、水の移動と震動、水または空気の吸着などが生じ、その物体をその位置に留まらせるように様々な力が作用する。カルマン渦などもその典型的な一つで物体が進行するときにその後方に生じて物体を吸引する好もしくないものである。
【０００３】
即ち、物体にはその進行を妨げる方向に力が発生するため、水中または空中の移動は推力にとって非常に困難となる。
競泳も身体を水中で移動させるため、物体を水中移動させる場合と同様の様々な力が加わるばかりでなく、各部を移動させて推力を得るものであるから非常に複雑な要素を内在している。
【０００４】
従来より競泳用水着として、前後身頃の一部に微小の凹凸条や微少の突起列を設けたものがあったが、常時向きの変わる競泳の水着としては、今一つ効果が上がっていない。また近年、水の剥離を促進させるために水着全体をザラザラにしているものもあるが、これもまた現時点では確実な効果が期待できないものであった。
【０００５】
【発明が解決しようとする課題】
本発明は、以上のような不確かな水の抵抗に対する従来の競泳用水着に代えて、水を積極的にコントロールして抵抗をできるだけ小さくした新規な競泳用水着を提供し、優れた結果の出易い競泳用水着を提供しようとするものである。
【０００６】
同時に、競泳用水着だけでなく、空気抵抗との戦いとなる、１００メートル走などの陸上の短距離走や、スケートやスキーなどの距離競技、または各種自転車競技、スキーのダウンヒル・ジャンプ競技、などの各種スポーツ用ウェアを提供することをも目的とするものである。
【０００７】
【課題を解決するための手段】
本発明の競泳用水着は、ストレッチ生地素材から裁断した裁断片によって縫製されたウェットスーツ様を呈している水着において、裁断片の裁断部乃至は縫製部との関連を有さずに、胸の両側から脚に掛けて長手方向に、緩い、好ましくは複数の、スパイラル状となるような細溝又は細幅リブを、適宜間隔をもって左身頃には左巻に、右身頃には右巻または左巻に、また左腕は左巻または右巻に、右腕は右巻または左巻に、編組織の変化やエンボス加工などの技術により形成した、ことをその要旨とするものである。
【０００８】
尚、前記スパイラル状の細溝又は細幅リブを、直線状にのみならず、緩いスパイラル状の波形状に、あるいは鋸歯状に構成することも可能である。
【０００９】
前記各細溝のピッチは３．０ｍｍ〜２０．０ｍｍ，幅は０．２ｍｍ〜２．０
ｍｍ，深さは０．１ｍｍ〜２．０ｍｍ程度、又、前記各細幅リブのピッチは３．０ｍｍ〜２０．０ｍｍ，幅は０．２ｍｍ〜２．０ｍｍ，高さは０．１ｍｍ〜２．０ｍｍ程度が好もしい。
【００１０】
尚、これらの数値は、各細溝又は各細幅リブに於いて同一である必要はなく、任意に不均一とすることも可能である。
【００１１】
前記複数のスパイラル状の細溝あるいは細幅リブは、連続的のみならず、断続的に形成することもできる。
【００１２】
上記左腕と右腕、又は脚部の脹ら脛部、腹部等所望の部位には、何れもストレッチ生地素材によって構成されるのみで、前記スパイラル状の細溝又は細幅リブの何れもが設けられない、とすることも自由である。
また、上記水着は袖なしのウェットスーツ様を呈した構成にすることもできるし、また大腿部下部より上方部分のみで構成することも可能である。
【００１３】
尚、上記スパイラル状の細溝又は細幅リブの何れもが設けられない場合には、縦方向の細溝又は細幅リブを形成することもできる。
【００１４】
また、該水着中の各裁断片又は裁断片毎以外の他の部位毎に、筋力の方向等に応じて必要であれば、張力の強弱を変化させることも可能である。
【００１５】
更に、該水着をウエストから下方部分のみで構成し、競泳用男子水着とすることもできるし、又、脚部をハイレグ形状として、競泳用女子水着とすることも可能である。
【００１６】
上記競泳用水着は、他にも、陸上の短距離走やスケートやスキーなどの距離競技、または各種自転車競技やスキーのダウンヒル・ジャンプ競技などの衣服として各種スポーツ用ウェアとしても応用することができる。
【００１７】
【実施例１】
以下、図１乃至図３に従って本発明の競泳用水着の第一の実施例を説明する。図１は競泳用女性水着を示す斜視図であり、図２はその側面図、図３はその背面図である。
水着１は、前身頃部２と後身頃部３及び両脚部４が一体に縫合され、袖なしのウェットスーツ様を呈している。
【００１８】
各裁断片５，５…は、ストレッチ生地素材で構成され、水着１の形態を保つように裁断され縫製される。該水着１の表面には、裁断片５，５・・・の裁断部乃至は縫製部７，７・・・との関連を特には有さずに、胸の両側から脚に掛けて、長手方向に、複数の細幅リブ６，６…を適宜間隔で、この例では略等間隔に、かつ、略並行に、緩いスパイラル状を保つように形成される。該形状は、編組織の変化やエンボス加工により形成される。該細幅リブ６は、この例に於いては、０．１ｍｍ〜２．０ｍｍの突出量をもっている。また該細幅リブ６は、左身頃では左巻に、右身頃では右巻に旋回するように設けられ、脚端（裾）で終わっている。
【００１９】
また、スパイラルの方向は左身頃で右巻に、右身頃で左巻に構成することもできる。更に、袖付きの構成にして該袖にもスパイラル状の細幅リブ６，６…を設けることができる。
【００２０】
上記構成になる競泳用女子水着は、例えば、左身頃と右身頃でスパイラル状の細幅リブ６，６・・・が左巻と右巻になっているため、着用者が水を掻いて進むと、左足と右足の後に左巻と右巻の渦が発生する。このとき該渦水流は裁断片５．５・・・によって左巻と右巻になり、好ましくないカルマン渦の発生は少なく又は阻止される。
【００２１】
このため、該競泳用女子水着はカルマン渦の発生が少ないだけ着用者を進行の後方から引っ張る力がなくなるため、その分軽くスムースに身体移動をすることができる。また、この競泳用女子水着は、裁断片５，５…がストレッチ生地素材で構成してあるから、伸縮性のアップは勿論、適当な筋肉の引き締めも行われることになる。
【００２２】
この筋肉の引き締めによって水着生地自体が背中部などをより身体に密着させることともなり、着用者の筋力が充分に発揮され易く、また着用者にフィット感を与えるといった心理的な好もしい効果、利点を有する。
【００２３】
【実施例２】
次に図４乃至図６は背中が開いた背開きタイプの競泳用女子水着を示すものである。また、前身頃部２と後身頃部３及び両脚部４が一体に縫合され、袖なしのウェットスーツ様を呈している。
【００２４】
各裁断片５，５・・・・は、ストレッチ素材で構成され、水着１の形状を呈するように裁断され縫製される。
【００２５】
上記裁断片５，５…は、ストレッチ布帛素材で構成してあり、使用する部位によってその強さはそれぞれ適宜異なっている。例えば大腿部を包んでいる裁断片５には、張力の大きいストレッチ素材が使用してある。
【００２６】
該水着１の表面には胸の両側から脚に掛けて、裁断片５，５…の長手方向に、複数本の細幅リブ６，６…を、裁断片５，５・・・の裁断部乃至は縫製部７，７・・・との関連を、特には有さずに、緩いスパイラル状となるように形成する。該細幅リブ６は０．１ｍｍ〜２．０ｍｍの突出量をもっている。また該細幅リブ６は、左身頃では左巻に、右身頃では右巻に旋回するように設けられ、脚端（裾）で終わっている。
尚、前身頃部２（腹部２’）及び脹ら脛部８は、それぞれ腹布２”乃至脹ら脛布９で構成してありスパイラル状細幅リブ６を形成しない部分である。
また無圧力になる背中部１１にはホール１２を設けている。
【００２７】
上記構成になる競泳用女子水着は、左身頃と右身頃でスパイラル状の細幅リブ６，６…が左巻と右巻になっているため、着用者が水を掻いて進むと、左足と右足の後に左巻と右巻の渦が発生する。このとき該渦水流は裁断片５，５…によって左巻と右巻になり、好もしくないカルマン渦の発生は少なくコントロールされる。
【００２８】
このため、該競泳用女子水着はカルマン渦の発生が少ないだけ着用者を進行の後方から引っ張る力がなくなるため、その分軽くスムースに身体移動をすることができる。また、この競泳用女子水着は、裁断片５，５…がストレッチ布帛素材で構成してあるから、伸縮性のアップは勿論、適当な筋肉の引き締めも行われる。
【００２９】
この引き締めによって水着生地が背中部などをより身体に密着させることともなり、着用者の筋力が発揮され易く、また着用者にフィット感を与えるなどの心理的な利点を有すると共に、特に大腿部を包んでいる裁断片５１に張力の大きいストレッチ生地素材を使用しているため、着用者の蹴り出し力を強くすることができる。
【００３０】
【実施例３】
前記二つの実施例では袖なしの競泳水着について説明したが、必要なら袖を設けても良い。
図７は袖付きの第三の実施例を示す競泳水着を示すもので、この場合は、ストレッチ生地素材によって構成した袖１３にも、肩口から袖口に向かって長手方向に、緩いスパイラル状を呈するように複数の細幅リブ６，６…を設ける。細幅リブ６は、袖１３の左腕は左巻に、右腕は右巻に設けられる。
【００３１】
他の構成は、第一、及び第二実施例と同様であるため同一符号を付して説明を省略した。
この場合は、袖１３のスパイラル作用により腕の延長方向にも水の整流となった渦が形成され、抵抗の原因となるカルマン渦が生じることがないか減少するため、後から吸引する好もしくない力が発生しないか、減少する。
【００３２】
また、袖１３に設けた上記細幅リブ６のスパイラルの向きは、左腕を右巻に、右腕を左巻にすることもできる。
更に、袖１３については、これを図示しない通常のストレッチ生地素材として、特にスパイラル状を呈する細幅リブ６を設けないようにすることもできる。所謂、一般の袖であるが、腕の保護及びストレッチ効果による筋力のアップに貢献することは勿論である。
【００３３】
尚、図８は、図７のＡ−Ａ線一部拡大端面図であり、この例では細幅リブ６は四角形状を呈しているが、台形状であっても、略三角形状であっても、又、先端が尖っていても、要するに凸状を呈していれば足りるものである。
【００３４】
尚、本例では、細幅リブ６のピッチＰは略１０．０ｍｍ、高さＨは略１．０
ｍｍ、幅Ｗは略０．４ｍｍとして構成してあるが、勿論所定範囲内で自由に設計しうるし、又、各々の細幅リブ毎にこの数値を変えて、均一でないものとすることも可能である。
【００３５】
【実施例４】
また図９はスパッツ型をした競泳用男子水着の斜視図を示すものである。
前記各実施例と、ウエストから下方部分で基本的に他の実施例と同様の構成になっているが、腰の両側から脚に掛けては、長手方向に緩いスパイラル状を呈するように複数の細溝６’，６’…が設けられ、左身頃では左巻に、右身頃では右巻に構成される。
【００３６】
上記構成になる競泳用男子水着は、左身頃と右身頃でスパイラル状の細幅溝
６’，６’…が左巻と右巻になっているため、着用者が水を掻いて進むと、左足と右足の後に左巻と右巻の渦が発生する。このとき該渦水流は裁断片５，５…によって左巻と右巻になり、カルマン渦の発生は少なく阻止される。
【００３７】
このため、該競泳用男子水着はカルマン渦の発生が少ないだけ着用者を進行方向の後方から引っ張る力がなくなるため、その分軽く移動することができる。また、この競泳用男子水着は、裁断片５，５…がストレッチ生地素材で構成してあるから、伸縮性のアップは勿論、適当な筋肉の引き締めが行われる。
【００３８】
尚、図１０は、図９のＢ−Ｂ線端面図であるが、この例で逆四角形状を呈する細溝６’は、逆台形状や逆三角状等どのような形状であれ、凹形状を呈していれば足りる。
【００３９】
本例では、細溝６’は、ピッチを略１０．０ｍｍ、深さＤを略１．０ｍｍ、幅Ｗを略０．４ｍｍとして構成してある。
【００４０】
【実施例５】
図１１は、【実施例４】と同じくスパッツ型男子用水着の背面図である。
この例に於いては、スパイラル状を呈する長手方向の複数の細幅リブ６，６は、連続せず断続している。この断続細幅リブ６，６・・・部は、断続の間隔（空白部）Ｓが長くても、又、短くても、任意に設計することが可能である。
【００４１】
【実施例６】
尚、上記各実施例中の複数の細幅リブ６又は細溝６’は、図示していないが、それぞれ必要ならば、複数本中の任意の本数を、高さ（細幅リブ６の場合）又は深さ（細溝６’の場合）が均一でないように構成することも可能であり、かつ有効な結果をも生じさせるものである。
【００４２】
【実施例７】
図１２は、
【実施例２】図６と同様の、背開きタイプの競泳用女子水着の背面を示すものであるが、本実施例に於いては、脚部４の脹ら脛部８の脹ら脛布９に、体長方向乃至縦方向に、細溝６’（又は細幅リブ６）を設けたものである。
この場合も、該脹ら脛部８の筋力が充分に発揮されるため、好もしい結果を生じることが確認できた。
尚、本図に於いては、理解し易いよう、当該部の細溝６’（又は細幅リブ６）のみを明示して、他のスパイラル状部位は省略した。
【００４３】
【実施例８】
図１３は、【実施例１】の図１と同様の水着であるが、緩いスパイラル状の細溝６’又は細幅リブ６を、直線状にではなく、波形状を呈するように構成した例を示す。
本例に於いても、スパイラル効果は充分に発揮され得た。
尚、その余は全て上記図１と同様のため符号の説明は省略した。
又、細溝６’又は細幅リブ６が複数本設けられる場合には、これら複数の細溝６’又は細幅リブ６も上述と同形状を呈する。
【００４４】
【実施例９】
図１４は、上記例と同じように、【実施例１】の図１と略同様例であるが、唯一、緩いスパイラル状の細溝６’又は細幅リブ６を、鋸歯状に構成してある。
この場合に於いても、スパイラルの効果は何も劣らなかった。
尚、符号は、図１と同様のため、ここでの説明は省略してある。
又、細溝６’、細幅リブ６が複数本である場合も、これらは前記【実施例８】と同じように、鋸歯状を呈する。
【００４５】
【実施例１０】
また上記各実施例の説明では、競泳競技用の水着について述べたが、格別競泳用水着だけでなく、空気抵抗との戦いとなる、１００メートル走など陸上の短距離走や、スケートやスキーなどの距離競技、または各種自転車競技やスキーのダウンヒル・ジャンプ競技などのスポーツ用ウェアについても同様に実施することができることは勿論である。
【００４６】
【発明の効果】
以上述べたように、本発明の流体低抵抗水着は、水着の表面に胸の両側から脚に掛けて、裁断片の裁断部乃至縫製部との関連を格別には有さずに、複数の細溝又は細幅リブを適宜間隔で長手方向に緩いスパイラル状を呈するように形成したことにより、着用者の後側に生じる、好もしくないカルマン渦の発生を少なくし、その分だけ軽く移動することができる。
【００４７】
また本発明では、陸上の短距離走やスケートやスキーなどの距離競技、または各種自転車競技やスキーのダウンヒル・ジャンプ競技など空気抵抗との関係を有する、あらゆるスポーツ用ウェアについても同様に実施することができる等の顕著な特徴を有するものであり、本発明の実施によって得られる効果は極めて大きい。
【図面の簡単な説明】
【図１】本発明の第一の実施例を示す袖なしスパッツタイプの競泳用女子水着の斜視図である。
【図２】同側面図である。
【図３】同背面図である。
【図４】本発明の第二の実施例を示す背開きタイプの競泳用女子水着の斜視図である。
【図５】同側面図である。
【図６】同背面図である。
【図７】本発明の第三の実施例を示す袖付きの競泳水着の斜視図である。
【図８】図７のＡ−Ａ線一部拡大端面図である。
【図９】本発明の第四の実施例を示すスパッツタイプの競泳用男子水着の斜視図である。
【図１０】図９のＢ−Ｂ先一部拡大端面図である。
【図１１】本発明の第五の実施例を示す細幅リブが断続的に設けられたスパッツタイプの競泳用男子水着の背面図である。
【図１２】本発明の第七の実施例を示す、細幅リブ又は細溝を体長方向に設けた競泳用女子水着の背面図である。
【図１３】本発明の第八の実施例を示す、波形状細溝又は細幅リブを有する競泳用女子水着の斜視図である。
【図１４】本発明の第九の実施例を示す、鋸歯状を有する競泳用女子水着の斜視図である。
【符号の説明】
１  水着
２  前身頃部
２’腹部
２”腹布
３  後身頃部
４  脚部
５  裁断片
６  スパイラル状細幅リブ
６’スパイラル状細溝
７  縫い目
８  脹ら脛部
９  脹ら脛布
１０  胸切換布
１１  背中部
１２  ホール
１３  袖
Ｐ  ピッチ
Ｈ  高さ
Ｗ  幅
Ｄ  深さ
Ｓ  空白部
【図１】
0003603049.tif 000002
【図２】
0003603049.tif 000003
【図３】
0003603049.tif 000004
【図４】
0003603049.tif 000005
【図５】
0003603049.tif 000006
【図６】
0003603049.tif 000007
【図７】
0003603049.tif 000008
【図８】
0003603049.tif 000009
【図９】
0003603049.tif 000010
【図１０】
0003603049.tif 000011
【図１１】
0003603049.tif 000012
【図１２】
0003603049.tif 000013
【図１３】
0003603049.tif 000014
【図１４】
0003603049.tif 000015